(57)【要約】 【課題】非接触ＩＣカード等の情報記録媒体によって、顧客が所望するサービスの選択行為と同時に精算処理を実行する機能を有する広告表示装置を提供する。【解決手段】  非接触型の情報記録媒体と通信を行うアンテナ１０２を備えた前面基板１０１を備え、このアンテナ１０２に近接された情報記録媒体との間で情報の読み書きを行う機能を備えた広告表示装置において、前面基板１０１は透明材料で構成されるとともに、前面基板１０１の裏面側に広告媒体１０４を備える。【選択図】          図１
2010204145.tif 000002
【特許請求の範囲】
【請求項１】
非接触型の情報記録媒体と通信を行うアンテナ部と、該アンテナ部で送受信される信号を処理する信号処理回路とを備え、該アンテナに近接された情報記録媒体との間で情報の読み書きを行う機能を備えた広告表示装置であって、
前記アンテナ部は、透明なアンテナ基板と導電性材料から成るアンテナとで構成され、
前記アンテナ部の裏面側に広告媒体を備えることを特徴とする広告表示装置。
【請求項２】
前記アンテナを構成する導電性材料は、透明材料からなることを特徴とする請求項１に記載の広告表示装置。
【発明の詳細な説明】
【技術分野】
【０００１】
本発明は、情報が記憶された非接触ＩＣカードや非接触ＩＣタグ等の非接触ＩＣメディア（情報記録媒体）と電磁誘導結合による近距離無線通信を行うことによって、情報を読み込んだり書き込んだりするリードライト機能を有する広告表示装置に関する。
【背景技術】
【０００２】
従来、非接触型リーダライタが組み込まれている自動販売機や種々の取引端末装置等の使用においては、前記取引端末装置に設けられているボタンやタッチパネルを操作することによって、所望のサービスを選択した後、前記非接触型リーダライタのアンテナ部に非接触ＩＣカード等の情報記録媒体を翳すことで精算処理を行っている。
【先行技術文献】
【特許文献】
【０００３】
【特許文献１】意匠公報第１２４４００３号
【発明の開示】
【発明が解決しようとする課題】
【０００４】
ところが、このような精算処理においては、顧客の所望するサービスの選択を行う際、予めボタンやタッチパネルを操作しなければならないため、お年寄りや身体障害者にとっては、煩わしい作業となる。また、通常使用しない顧客にとっては、操作に時間を要したり、操作を誤ったりするために、却って精算処理が遅れ、取引端末装置等周辺が利用客で混雑するという問題が生じていた。
【０００５】
そこで、本発明は、非接触ＩＣカード等の情報記録媒体によって、顧客が所望するサービスの選択行為と同時に精算処理を実行する機能を有する広告表示装置を提供することを目的とする。
【課題を解決するための手段】
【０００６】
本発明は、非接触型の情報記録媒体と通信を行うアンテナ部と、該アンテナ部で送受信される信号を処理する信号処理回路とを備え、該アンテナに近接された情報記録媒体との間で情報の読み書きを行う機能を備えた広告表示装置であって、
前記アンテナ部は、透明なアンテナ基板と導電性材料から成るアンテナとで構成され、
前記アンテナ部の裏面側に広告媒体を備えることを特徴とする。
【０００７】
この構成によれば、アンテナ基板が透明であるため、アンテナ部の裏面側に配置された広告媒体の表示内容をアンテナ部の表面側から視認できる。この広告媒体の表示内容にしたがってこの部分に非接触ＩＣカード等の情報記録媒体を翳す（あるいはタッチ）することによって、サービスの選択行為と精算処理を同時に行うことができる。なお、導電性材料から成るアンテナは、前記アンテナ基板の内部に一体として形成してもよいし、アンテナ基板の表面あるいは裏面側に配置してもよい。
【０００８】
本発明は、前記アンテナを構成する導電性材料は、透明材料からなることを特徴とする。
【０００９】
この構成によれば、アンテナを構成する導電性材料が透明であるため、アンテナ部の裏面側に配置された広告媒体の表示内容を妨げることがなく視認される。この場合、導電性の透明材料としては、酸化インジウムスズや酸化インジウム亜鉛などが選択できる。
【発明の効果】
【００１０】
以上の発明によれば、非接触ＩＣカード等の情報記録媒体によって、顧客が所望するサービスの選択行為と同時に精算処理を実行する機能を有する広告表示装置を提供することができる。
【図面の簡単な説明】
【００１１】
【図１】第１の実施形態における広告表示装置を示す図である。
【図２】第２の実施形態における広告表示装置を示す図である。
【図３】第２の実施形態の応用例１における広告表示装置を示す斜視図である。
【図４】第２の実施形態の応用例１における広告表示装置を示す部分分解図である。
【図５】第２の実施形態の応用例１における広告表示装置の内部構造を示す図である。
【図６】第２の実施形態の応用例１における広告表示装置の内部機構を示す図である。
【図７】第２の実施形態の応用例１における広告表示装置の一構成部品を示す図である。
【図８】第２の実施形態の応用例２における広告表示装置の外観を示す図である。
【図９】第２の実施形態の応用例２における広告表示装置の外観を示す図である。
【図１０】第２の実施形態の応用例２における広告表示装置の外観を示す図である。
【図１１】第２の実施形態の応用例２における広告表示装置の外観を示す図である。
【図１２】第２の実施形態の応用例２における広告表示装置の外観を示す図である。
【図１３】第２の実施形態の応用例２における広告表示装置の外観を示す図である。
【図１４】第２の実施形態の応用例１，２における広告表示装置に内蔵される照明の調光装置の外観である。
【図１５】本発明の実施事例を示す模式図である。
【発明を実施するための形態】
【００１２】
（第１の実施形態）
図１は、本発明における第１の実施形態の広告表示装置１００の正面図（図１（ａ））および右側面図（図１（ｂ））である。  図１に示すように、この広告表示装置１００は、基台１０５、透明なポリカーボネート製の前面基板１０１，広告表示板１０４から構成され、基台１０５の上部には、前面基板１０１の裏面１０１側に、広告表示板１０４の表面１０４ａが対向するように平行配置されて立設されている。
【００１３】
前面基板１０１の内部には、３つのループ状アンテナ１０２、…が一体成形されている。このループ状アンテナは、透明な導電性材料であり、例えば、酸化インジウムスズや酸化インジウム亜鉛などを用いることができる。これらのアンテナ１０２は、基台１０５内に収容された信号処理回路基板１０３に電気的に接続されている。また、基台１０５に設置された操作盤１０６は、信号処理回路基板１０３と電気的に接続されている。
【００１４】
広告表示板１０４の表面１０４ａには、３つの広告表示模様１０４ａ、１０４ｂ、１０４ｃやサービス案内文字等が描かれている。これらの模様１０４ａ、１０４ｂ、１０４ｃは、前面基板１０１内に形成されたアンテナ１０２、…とそれぞれが対応するように配置される。図１（ａ）に示すように、前面基板１０１は透明であるので、裏面１０１ａに描かれている広告表示板１０４の模様を、前面基板１０１の表面１０１ｂ側から視認することができる。図１（ａ）（ｂ）において、アンテナ１０２，…を破線で示しているが、実際は透明であるため視認できない。
【００１５】
なお、本発明において、ループ状アンテナ１０３がアンテナに相当し、前面基板１０１がアンテナ部に相当する。また、信号処理回路基板１０３が信号処理回路に相当する。また、広告表示板１０４が広告媒体に相当する。
【００１６】
本実施形態の広告表示装置１００は、において、サービスメニューを顧客に表示することが必要で、しかも、料金精算が滞ることによって顧客の混雑が予測される売店や切符売り場等で利用されるものである。
【００１７】
図１の広告表示装置１００は、ジュースの販売を行う売店に設置される。パイナップルジュースを所望する顧客は、前面基板１０１の表面１０１ｂ側から、パイナップルの画像１０４ｂに向かって、自身の所有する非接触ＩＣカード等の情報記録媒体を軽くタッチ（翳しても良い）することによって、情報記録媒体内の情報の読み書きが行われ、パイナップジュースの料金に相当する分の金額が減算処理される。その後、店員からパイナップルジュースが顧客に手渡される。また、例えば、同じ種類のジュースを複数求める場合には、顧客が店員に口頭にてその旨を伝え、店員が操作盤１０６を操作してそのジュースの複数分の料金を減算できるようにすることができる。なお、アンテナ１０２，…は、ジュースの種類毎に一つずつ別々に複数設けられている。
【００１８】
（第１の実施形態の効果）
次に、第１の実施形態から把握される作用・効果を以下に列記する。
（１）サービスの広告表示毎に対応するようにアンテナが設けられているので、サーベスを予め選択してから情報記録媒体を使用するという手間を省くことができる。即ち、サーベスの選択行為と料金精算行為とを同時に実現できる。
【００１９】
（２）サービスの広告表示毎に対応するようにアンテナが設けられているので、別々の顧客が、別々のサーベスを選択して料金精算をはぼ同時刻に行っても問題なく精算処理することが可能である。従来のＩＣカードリーライタ装置においては、アンテナが一つしか設置されていないのが普通である。
【００２０】
（３）アンテナ１０２は、透明な導電性材料から形成されているため、広告表示内容を邪魔することなく、前面基板１０１を介して視認することができる。
【００２１】
（第２の実施形態）
図２は、本発明における第２の実施形態の広告表示装置１１０の正面図（図２（ａ））、右側面図（図２（ｂ））および平面図（図２（ｃ））である。本実施形態は、第１の実施形態において、広告表示板１０４の替わりに、広告を表示した広告シート１１２を一対の巻き取り軸１１１，１１１を横方向に巻き取ることで移動させる形式の幕式表示機１１４を設けている。その他、第１の実施形態と同様の構成部分には同様の符号を付している。
【００２２】
一対の巻き取り軸１１１，１１１は、基台１０５内部に設けられた一対のモータ１１１に接続されており、自在に回転させることによって、幕１１２を横方向に移動させる。幕１１２の移動の操作は、操作盤１０６で行う。つまり、前面基板１０１のアンテナ１０２の中央部にサービスの画像が対応するように、操作盤１０３の操作によって、画像の位置を調節することが可能である。また、画像のタイミング等も予め操作盤１０３にて決定しておくことも可能である。その他、第１の実施形態の効果と同様の効果を奏する。なお、本発明において、幕１１２が広告媒体に相当する。
【００２３】
（第２の実施形態の応用例１）
次に、上述のような機能を有した幕式表示装置の事例を示す。図３及び図４に示すように、幕式表示装置（幕式看板）１において装置本体２の前面には、装置本体２の前面蓋として前面フレーム３が着脱可能に取り付けられている。一方、装置本体２の後面にも、前面と同様のフレームとして後面フレーム４が着脱可能に取り付けられている。これらフレーム３，４は、上下左右の４辺の縁を除いた部分が刳り抜かれた形状をとり、この刳り抜き部分である枠部５に嵌め込まれた透明板６から幕式表示装置１の広告として表示幕７（図４参照）が外部に露出する。即ち、本例の幕式表示装置１は、装置本体２の前面及び後面の両方において表示幕７の広告を表示可能な両面表示式となっている。
【００２４】
図４に示すように、前面フレーム３において内面の上部には、装置本体２側に飛び出す一対の係止片８，８が設けられている。また、装置本体２の内部前面においてその上部には、前面フレーム３の係止片８，８の係止先として一対の被係止片９，９が設けられている。前面フレーム３は、自身の係止片８，８を装置本体２の被係止片９，９に引っ掛けることにより、装置本体２に組み付け可能となっている。なお、後面フレーム４も前面フレーム３と同様の組み付け構造によって装置本体２に組み付けられているが、この構造は前面と同じであるので、説明を省略する。
【００２５】
図５及び図６に示すように、装置本体２の内部には、表示幕７の各々の終端の巻き付け先として一対の巻き取り軸１０，１１が回動可能に取り付けられている。表示幕７は、これら巻き取り軸１０，１１に対して幕を外側から内側に向かって巻く方向、即ち内巻き方向で巻かれている。また、表示幕７の巻き取り経路上には、表示幕７を裏面側から押してこれを張設する一対の保持用軸１２，１３が回動可能に取り付けられている。これら軸１０〜１３は、長細い円柱形状をとるとともに、回動軸心が装置本体２の高さ方向（図５及び図６の矢印Ｚ方向）に沿う向き、即ち縦向きに取り付けられている。また、巻き取り軸１０，１１は、装置本体２の幅方向（図５及び図６の矢印Ｙ方向）において同じ側の端部に配置され、しかもこの幅方向において同じ位置に並んだ状態で配置されている。なお、本例は、前面側巻き取り軸を１０とし、後面側巻き取り軸を１１とする。
【００２６】
一方、保持用軸１２，１３は、装置本体２の幅方向において巻き取り軸１０，１１と反対側の端部に配置されている。保持用軸１２，１３は、巻き取り軸１０，１１と平行する向きに取り付けられ、装置本体２の幅方向において同じ位置に並んだ状態で配置されている。なお、本例は、前面側保持用軸を１２とし、後面側保持用軸を１３とする。これら保持用軸１２，１３は、装置本体２の奥行き方向（図５及び図６の矢印Ｘ方向）において、前面側保持用軸１２が前面側巻き取り軸１０と同じ位置に並び、後面側保持用軸１３が後面側巻き取り軸１１と同じ位置に並んでいる。軸１０〜１３は、図６に示すように、平面視において装置本体２の４隅に位置する配置状態をとっている。
【００２７】
図５に示すように、巻き取り軸１０，１１の各々の下方位置には、これら巻き取り軸１０，１１の各々の回動駆動源としてモータ１４，１５（図５では、モータ１５は省略）が取り付けられている。即ち、巻き取り軸１０，１１は表示幕７の巻き取り時における駆動軸として働き、保持用軸１２，１３はこれに連れ回りする従動軸として働く。なお、本例は、前面側モータを１４とし、後面側モータを１５とする。これらモータ１４，１５は、それぞれ複数のギア及びタイミングベルト（図示略）を介して巻き取り軸１０，１１に連結されている。また、モータ１４，１５は、ＡＣモータが使用されるとともに、装置本体２に対して縦向きに取り付けられている。本例の場合、前面側モータ１４が停止状態のままで後面側モータ１５が駆動状態（例えば、正転）をとると、表示幕７が一方向（図５のＫ１方向）に巻き取られ、後面側モータ１５が停止状態のままで前面側モータ１４が駆動状態（例えば、逆転）をとると、表示幕７が他方向（図５のＫ２方向）に巻き取られる。なお、モータ１４，１５が駆動源に相当する。
【００２８】
図７に示すように、これら軸１０〜１３において各々の軸本体１６の上端には、この軸上端における装置本体２への軸支箇所としてストッパ部１７が設けられている。このストッパ部１７は、バネ等の付勢部材１８によって飛び出す側に常時付勢されつつ、抜け止めが施された状態で軸本体１６に取り付けられている。これら軸１０〜１３は、軸本体１６の下端に形成された下端軸部１９を装置本体２の下部軸支穴２０に挿し込みつつ、ストッパ部１７の先端を装置本体２の上部軸支穴２１に挿し込むことにより取り付けられている。軸１０〜１３を装置本体２から取り外す際には、軸本体１６を付勢部材１８の付勢力に抗して持ち上げることにより下端軸部１９を下部軸支穴２０から外し、この状態を以てストッパ部１７を上部軸支穴２１から抜くことにより行う。
【００２９】
図５及び図６に示すように、装置本体２の内部において表示幕７の内側には、光透過部材からなるこの表示幕７を裏面側から照明する照明部２２が設けられている。本例の照明部２２は、例えば蛍光灯が使用されるとともに、この蛍光灯を縦向きに２本配置した構成がとられている。この照明部２２が点灯状態をとると、表示幕７が裏面側から明るく照らし出される状態をとり、幕式表示装置１の周囲が暗い場合であっても、表示幕７の広告が視覚可能となる。
【００３０】
図３に示すように、装置本体２の下部位置には、後面フレーム４の下部に配設された横開きの開閉扉２３を開けた位置に、幕式表示装置１の操作系として各種スイッチ２４〜２７及びダイヤル２８が設けられている。これらスイッチ２４〜２７は、幕式表示装置１の主電源のオンオフを切り換える際に操作する電源スイッチ２４、表示幕７の巻き取りを手動操作する際に操作する手動幕送りスイッチ２５、照明部２２の電源をオンオフする際に操作する照明スイッチ２６、表示幕７の自動送りの運転／停止を操作する自動幕送りスイッチ２７からなる。また、ダイヤル２８は、表示幕７の停止時間を手動で調整可能な停止時間設定ダイヤル２８からなる。これらスイッチ２４〜２７及びダイヤル２８による幕式表示装置１の設定操作（動作切り換え操作）は、装置本体２の底面から延びる電源ケーブル２９を、商用電源等の電源プラグ（図示略）に挿し込んで、幕式表示装置１が商用電源の電力を得ている際に可能となっている。
【００３１】
前述の幕式表示装置１（広告表示装置）において、透明板６にアンテナを設け、表示幕７の一部の領域に対応するサービスの内容を示した画像や文字等を描き、アンテナの中央部と当該サービスの画像や文字等との位置が対応した際に、顧客が自身の情報記録媒体をタッチすることによって、第２の実施形態と同様の効果を発揮することができる。
【００３２】
この場合、本発明において、透明板６がアンテナ部に相当し、表字幕７が広告媒体に相当する。なお、これらの広告表示器は、内部の蛍光灯やＬＥＤ等（図示しない）の内蔵している内照式看板であり、後述の調光装置（図１４参照）によって輝度を調節することができる。また、このような調光装置を装置本体２の下部位置に設けてもよい。また、アンテナに接続された信号処理回路も装置本体２の下部位置に備えるようにしても良い。
【００３３】
（第２の実施形態の応用例２）
図８〜図１３に示す幕式表示装置は、店頭に設置されて用いられる広告用看板であって、前述の幕式表示装置１に機能的に類似している。図８及び図９には、斜視図１と斜視図１に対応する六面図及びこの斜視図１の応用事例として斜視図２を示している。図１０、図１１及び図１２には、斜視図１と斜視図１に対応する六面図を示している。図１３には、図３に示す実施形態の応用例（斜視図１及び２）を示している。各図において、斜視図１の斜線を施した部分と、正面図および背面図における符号６ａ、６ｂを付した部分は、透明な樹脂製アクリル板である。この広告用看板の内部には広告表示物が内蔵され、このアクリル板を介して広告内容を視認できる。図８，図９、図１０及び図１１において、左側面図は、右側面図と左右対称に表れるため省略している。図１１において、底面図は、平面図と上下対称に表れるため省略している。なお、透明な樹脂製アクリル板６ａ，６ｂから視認される広告表示物のデザイン等は省略している。また、図８の斜視図２、図９の斜視図２，図１３の斜視図１，２において、広告用看板の上部に設けられた部分Ｌは、内照明式のオプション看板であり、広告文字等を省略している。
【００３４】
（調光装置）
図１４は、前述の幕式表示装置１に内蔵された照明装置を調光するための調光装置である。この調光装置は、調光スイッチユニットであって、各種蛍光管やＬＥＤ等の発光素子の調光を手動で行うためのものであり、このような発光素子の電源ユニットまたはコントローラに接続され制御が行われる。図１４の正面図に示された４つの円形の部分は透孔であり、これを利用してネジを螺着させ壁に取り付けて使用したり、若しくは、スイッチボックス等に取付て携帯しながら使用することができる。
【００３５】
（応用例等）
ところで、本発明は前記の実施形態に限定するものではなく、本発明の要旨を変更しない範囲で様々な実施が可能である。
・  前記実施形態では、アンテナが透明な導電性材料製であるが、透明でなくても良い。その場合、広告表示物の視認性を妨げないようにアンテナを設ければよい。
・  本発明のアンテナ部を構成する透明材料は、透明な樹脂に限定されず、例えばガラス材料でもよい。
・  図１５に示すように、本発明は、飲食店やフードコートに設置される広告看板（ポスター等を含む、図１５（ａ）参照）や、駅の窓口や映画館や博物館の切符売り場におけるガラス仕切り板（図１５（ｂ）参照）、あるいはタクシーの運転所後方に設けてある透明広告掲示板（背板）などにアンテナを一体成形あるいは外面に貼付する（図１５（ｃ）参照）ことによって非接触ＩＣカード等によって料金精算を簡便に実施することができる。また、自動販売機などに応用することも可能である（図１５（ｄ）参照）。
【符号の説明】
【００３６】
１００…広告表示装置、１０１…アンテナ部としての前面基板、１０２…アンテナ、１０３…信号処理回路としての信号処理回路基板、１０４…広告媒体としての広告表示板、１０５…基台、１０６…操作手段としての操作盤、Ｌ…内照式看板。
【図１】
2010204145.tif 000003
【図２】
2010204145.tif 000004
【図３】
2010204145.tif 000005
【図４】
2010204145.tif 000006
【図５】
2010204145.tif 000007
【図６】
2010204145.tif 000008
【図７】
2010204145.tif 000009
【図８】
2010204145.tif 000010
【図９】
2010204145.tif 000011
【図１０】
2010204145.tif 000012
【図１１】
2010204145.tif 000013
【図１２】
2010204145.tif 000014
【図１３】
2010204145.tif 000015
【図１４】
2010204145.tif 000016
【図１５】
2010204145.tif 000017